(57)【要約】  内視鏡装置１は、内視鏡コネクタ２０と、プラグ部４１から延設された第１の光コネクタ５１と、第１の光コネクタ５１が挿入されるレセプタクル部３１の第１の挿入口７１，７６と、第２の光コネクタ５２が挿入されるレセプタクル部３１の第２の挿入口７２，７７と、第２の挿入口７２，７７に一部が配設され、第１の挿入口７１，７６への第１の光コネクタ５１の挿入に連動して、第２の光コネクタ５２が第２の挿入口７２，７７に挿入可能となる退避位置に移動する誤挿入防止部材７４と、第２の挿入口７２，７７への第１の光コネクタ５１の挿入時に、誤挿入防止部材７４に当接する当接部材７８と、を具備する。
2017086483.tif 000002
【特許請求の範囲】
【請求項１】
プラグ部を備えた内視鏡コネクタと、
前記プラグ部から延設された雄型の第１の光コネクタと、
前記プラグ部が嵌合するレセプタクル部と、
前記レセプタクル部に設けられ、前記第１の光コネクタが挿入される第１の挿入口と、
前記レセプタクル部に設けられ、前記第１の光コネクタとは別の雄型の第２の光コネクタが挿入される第２の挿入口と、
前記第１の挿入口に前記第１の光コネクタが挿入されていない状態において、前記第２の挿入口に少なくとも一部が配設され、前記第１の挿入口への前記第１の光コネクタの挿入に連動して、前記第２の光コネクタが前記第２の挿入口に挿入可能となる退避位置に移動する誤挿入防止部材と、
前記第２の挿入口への前記第１の光コネクタの挿入時に、前記誤挿入防止部材に当接して前記第２の挿入口に前記少なくとも一部が配設された状態を維持させる当接部材と、
を具備することを特徴とする内視鏡装置。
【請求項２】
前記第１の光コネクタが照明光用のライトガイドコネクタであって、
前記第１の挿入口に前記ライトガイドコネクタが挿入されて被検体を照明する照明光が前記ライトガイドコネクタに入射されることを特徴とする請求項１に記載の内視鏡装置。
【請求項３】
前記第２の光コネクタが前記プラグ部から延設された光伝送コネクタであって、
前記第２の挿入口に前記光伝送コネクタが挿入されて高速伝送用のレーザ光が前記光伝送コネクタを介して授受されることを特徴とする請求項１または請求項２に記載の内視鏡装置。
【請求項４】
前記第１の光コネクタは、前記第２の光コネクタよりも前記プラグ部から延設する長さが長いことを特徴とする請求項１から請求項３のいずれか１項に記載の内視鏡装置。
【請求項５】
前記第１の光コネクタの外径が前記第２の挿入口の内径以下であることを特徴とする請求項１から請求項４のいずれか１項に記載の内視鏡装置。
【請求項６】
前記誤挿入防止部材が前記第１の挿入口および前記第２の挿入口に跨るように回動自在に配設され、前記第１の挿入口に挿入された前記第１の光コネクタに当接して回動することで前記退避位置に移動することを特徴とする請求項１から請求項５のいずれか１項に記載の内視鏡装置。
【請求項７】
前記第１の光コネクタおよび/または前記第２の光コネクタが前記第１の挿入口および/または前記第２の挿入口に挿入されていない状態において、前記誤挿入防止部材が自重により前記第２の挿入口に前記少なくとも一部が配設される位置に回動することを特徴とする請求項６に記載の内視鏡装置。
【発明の詳細な説明】
【技術分野】
【０００１】
本発明は、本発明は、高速伝送に好適な内視鏡用コネクタを接続するレセプタクル部を備えた内視鏡装置に関する。
【背景技術】
【０００２】
従来、医療用分野においては、細長の挿入部を体腔内に挿入することにより、体腔内臓器などを観察することが出来る内視鏡が広く用いられている。【０００３】
体腔内臓器などの観察画像をモニターに表示させる場合には、内視鏡挿入部先端または後端の撮像部に電荷結合素子（ＣＣＤ）などの固体撮像素子を配設した電子内視鏡などが用いられている。【０００４】
電子内視鏡に設けた撮像素子から出力される信号は、電子内視鏡、外付けカメラなどとは別体の画像処理装置によって映像信号化されてモニターに出力される。そして、別体に構成された電子内視鏡と画像処理装置との間は、内視鏡用コネクタを介して接続される。【０００５】
このような電子内視鏡のコネクタ部と画像処理装置との接続構成について、例えば、日本国特開２０１３−１５８４２５号公報に記載されている。この日本国特開２０１３−１５８４２５号公報に開示された電子内視鏡のコネクタ部および電子内視鏡では、電気接続用プラグ、光伝送プラグである光接続用プラグなどに衝撃荷重が加わった場合でも、画像処理装置の電気接続用ジャックおよび光接続用ジャックの各ジャックに対応する各プラグをスムーズに差し込むことができるようにした技術が記載されている。【０００６】
ところで、従来の電子内視鏡では、内視鏡コネクタと画像処理装置のレセプタクル部に電気信号を金属性の接点ピンを設けて電気的接続を行い、画像信号などの電気信号を伝送していた。【０００７】
近年においては、内視鏡画質の向上に伴い更なる高速伝送化が求められ、日本国特開２０１３−１５８４２５号公報に開示されるような高速伝送用の光伝送プラグが設けられた内視鏡コネクタが登場している。【０００８】
しかしながら、内視鏡コネクタに日本国特開２０１３−１５８４２５号公報に開示される光伝送プラグと共に、照明用のライトガイドプラグを設けた構成である場合、このライトガイドプラグと光伝送プラグを間違えてレセプタクル部の各ソケットに挿入して誤接続してしまうと各プラグおよび各ソケットが破損する虞がある。【０００９】
そこで、本発明は、上記事情に鑑みなされたものあり、電子内視鏡の光伝送プラグとライトガイドプラグを備えた内視鏡コネクタを画像処理装置のレセプタクル部へ接続するときの誤接続を防止して、機器の損傷を防止した内視鏡装置を提供することを目的とする。
【発明の開示】
【課題を解決するための手段】
【００１０】
本発明の一態様における内視鏡装置は、プラグ部を備えた内視鏡コネクタと、前記プラグ部から延設された雄型の第１の光コネクタと、前記プラグ部が嵌合するレセプタクル部と、前記レセプタクル部に設けられ、前記第１の光コネクタが挿入される第１の挿入口と、前記レセプタクル部に設けられ、前記第１の光コネクタとは別の雄型の第２の光コネクタが挿入される第２の挿入口と、前記第１の挿入口に前記第１の光コネクタが挿入されていない状態において、前記第２の挿入口に少なくとも一部が配設され、前記第１の挿入口への前記第１の光コネクタの挿入時に連動して、前記第２の光コネクタが前記第２の挿入口に挿入可能となる退避位置に移動する誤挿入防止部材と、前記第２の挿入口への前記第１の光コネクタの挿入時に、前記誤挿入防止部材に当接して前記第２の挿入口に前記少なくとも一部が配設された状態を維持させる当接部材と、を具備する。
【図面の簡単な説明】
【００１１】
【図１】本発明の一態様の内視鏡装置の構成を示す斜視図
【図２】同、内視鏡用コネクタを示す斜視図
【図３】同、図２とは別角度から見た内視鏡用コネクタの構成を示す斜視図
【図４】同、内視鏡用コネクタの構成を示す正面図
【図５】同、内視鏡用コネクタのプラグ部の構成を示す側面図
【図６】同、画像処理装置のレセプタクル部の構成を示す斜視図
【図７】同、レセプタクル部の構成を示す正面図
【図８】同、レセプタクル部の構成を示す断面図
【図９】同、板状ストッパ部材の構成を示す斜視図
【図１０】同、レセプタクル部に内視鏡コネクタを接続するときの作用を説明する部分断面図
【図１１】同、図１０の状態からさらに内視鏡コネクタがレセプタクル部に挿入されたときの作用を説明する部分断面図
【図１２】同、図１１の状態からさらに内視鏡コネクタがレセプタクル部に挿入されたときの作用を説明する部分断面図
【図１３】同、内視鏡コネクタがレセプタクル部に接続された状態を示す部分断面図
【図１４】同、内視鏡コネクタがレセプタクル部への誤接続防止の作用を説明する部分断面図
【発明を実施するための最良の形態】
【００１２】
ここでは、本発明である内視鏡装置を例に挙げて説明する。なお、以下の説明において、各実施の形態に基づく図面は、模式的なものであり、各部分の厚みと幅との関係、夫々の部分の厚みの比率などは現実のものとは異なることに留意すべきであり、図面の相互間においても互いの寸法の関係や比率が異なる部分が含まれている場合がある。  
また、以下の構成説明における内視鏡装置は、外科用に用いられる挿入部が硬質な所謂硬性鏡を例に挙げて説明するが、これに限定されることなく、生体の上部または下部の消化器官などに挿入するため挿入部に可撓性のある所謂軟性鏡にも適用できる技術である。【００１３】
以下、本発明の一態様の内視鏡装置について、図面に基づいて説明する。  
なお、図１は、本発明の一態様の内視鏡装置の構成を示す斜視図、図２は内視鏡用コネクタを示す斜視図、図３は図２とは別角度から見た内視鏡用コネクタの構成を示す斜視図、図４は内視鏡用コネクタの構成を示す正面図、図５は内視鏡用コネクタのプラグ部の構成を示す側面図、図６は画像処理装置のレセプタクル部の構成を示す斜視図、図７はレセプタクル部の構成を示す正面図、図８はレセプタクル部の構成を示す断面図、図９は板状ストッパ部材の構成を示す斜視図、図１０はレセプタクル部に内視鏡コネクタを接続するときの作用を説明する部分断面図、図１１は図１０の状態からさらに内視鏡コネクタがレセプタクル部に挿入されたときの作用を説明する部分断面図、図１２は図１１の状態からさらに内視鏡コネクタがレセプタクル部に挿入されたときの作用を説明する部分断面図、図１３は内視鏡コネクタがレセプタクル部に接続された状態を示す部分断面図、図１４は内視鏡コネクタがレセプタクル部への誤接続防止の作用を説明する部分断面図である。【００１４】
図１に示すように、内視鏡装置１は、内視鏡２と、光源装置を兼ねた外部機器となる画像処理装置（照明光源内蔵型ビデオプロセッサまたはカメラコントロールユニットとも言う）３と、を有して構成されている。【００１５】
内視鏡２は、長尺な挿入部１２と、この挿入部１２の基端と連設された操作部１３と、画像処理装置３に接続する内視鏡コネクタ２０と、を有して主に構成されている。【００１６】
なお、内視鏡２は、操作部１３と内視鏡コネクタ２０とがユニバーサルコードとしての軟性ケーブル１６を介して接続されている。【００１７】
挿入部１２には、主にステンレスなどの金属性部材から形成された先端部２１、柔軟に湾曲自在な湾曲部２２およびステンレスなど金属管の硬性管２３が先端側から順に連設されている。この挿入部１２は、主に腹腔内に挿入する部分となっており、内部に図示しない通信ケーブル、光伝送用ファイバ、ライトガイドなどが組み込まれている。なお、本実施の形態の内視鏡２は、挿入部１２が硬性として、生体の腹腔などに挿入される外科用の所謂硬性鏡となっている。【００１８】
通信ケーブル、光伝送用ファイバ、ライトガイドなどは、操作部１３を介して軟性ケーブル１６内に挿通され、内視鏡コネクタ２０まで配設されている。【００１９】
操作部１３には、湾曲部２２を遠隔操作する湾曲操作部材としてのアングルレバー２４および画像処理装置３などを操作するための各種スイッチ２６が備えられている。【００２０】
アングルレバー２４は、ここでは挿入部１２の湾曲部２２を上下の２方向に操作可能な湾曲操作手段である。なお、アングルレバー２４を２つ設けて、湾曲部２２を上下左右の４方向に湾曲する構成としてもよい。【００２１】
挿入部１２の先端部２１は、図示しないＣＣＤセンサ、ＣＭＯＳセンサなどを用いた撮像部が内蔵されており、この撮像部から駆動制御用の通信ケーブルおよび撮像信号を伝送する高速伝送用の光伝送用ファイバが延設されている。【００２２】
挿入部１２の湾曲部２２は、内部に図示しない複数の湾曲駒が設けられており、これら複数の湾曲駒がアングルレバー２４によって牽引弛緩される図示しない湾曲操作ワイヤによって回転することで湾曲される。また、湾曲部２２には、複数の湾曲駒を覆う外皮として湾曲ゴム２２ａが設けられている。【００２３】
画像処理装置３は、前面部３０に、内視鏡コネクタ２０が接続されるレセプタクル部３１と、操作および状態表示のためのパネル部３２と、電源スイッチ３３と、が設けられている。なお、画像処理装置３内には、内視鏡２の図示しないハロゲンランプなど照明用光源が内蔵されている。【００２４】
次に、内視鏡コネクタ２０の構成について、以下に詳しく説明する。  
図２および図３に示すように、内視鏡コネクタ２０は、一端側から順にプラグ部４１と、コネクタケース４２と、軟性ケーブル１６に接続される折れ止め部４３と、を有し、プラグ部４１とコネクタケース４２の間にフランジ部４４が設けられている。【００２５】
プラグ部４１は、導電部を構成する電気接点（コネクタ接点）４５，４６が設けられる嵌合部４７と、コネクタケース４２に接続される接続部４８とを有している。【００２６】
プラグ部４１は、嵌合部４７と接続部４８とが一体形成されており、金属性のフランジ部４４を介して、コネクタケース４２と気密に接続されている。なお、フランジ部４４によって、画像処理装置３のレセプタクル部３１との嵌合状態が維持されるようになっている。【００２７】
コネクタケース４２の嵌合部４７は、接続部４８と同様の円柱形状の一部を切り欠いた切欠き部４１ａを有しており、コネクタケース４２の円筒形状の長手軸（中心軸）方向に平行な平面部４７ａと、接続部４８と同様の周面形状を有する円周部４７ｂと、を有している。【００２８】
即ち、嵌合部４７は、外形円柱形状の一部分を切り欠いて平面部４７ａを形成した所謂Ｄカット形状をしている。なお、嵌合部４７は、Ｄカット形状に限定されることなく、単なる外形円柱形状など如何なる形状としてもよい。【００２９】
これら嵌合部４７の平面部４７ａおよび円周部４７ｂには、電気接点としてのコネクタ接点４５，４６が設けられている。【００３０】
複数のコネクタ接点４５，４６は、表面略長方形をしており、コネクタ接点４５が平面部４７ａの表面上において幅方向に複数並設されており、コネクタ接点４６が円周部４７ｂの周面上において周方向に複数並設されている。【００３１】
嵌合部４７の円周部４７ｂの縁辺下端部には、画像処理装置３に内視鏡２の接続を認識させると共に、画像処理装置３のレセプタクル部３１への接続時に内視鏡コネクタ２０の軸回りの方向を規定するための溝部５０が形成されている。【００３２】
嵌合部４７の正面部４９は、平面部４７ａを形成することで、円の一部が切り取られた円弧形状となっている。この正面部４９からは、第１の光コネクタであって照明用のライトガイドプラグとしての略円柱状のライトガイドコネクタ５１および第２の光コネクタであって高速伝送用の光伝送コネクタ（プラグ）としての略円柱状の光コネクタ５２が延設されている。即ち、ライトガイドコネクタ５１および光コネクタ５２は、共に内視鏡コネクタ２０のプラグ部４１から延設された雄型光コネクタ（プラグ）となっている。【００３３】
なお、コネクタケース４２は、術者の手で把持が容易な径およびサイズを有する略円筒形状に形成されており、折れ止め部４３の外形に合わせるように、折れ止め部４３に向かって径が若干細くなったケース体となっている。【００３４】
ここで、ライトガイドコネクタ５１および光コネクタ５２について、以下に説明する。【００３５】
ここでのライトガイドコネクタ５１の外径ｄ１は、図４に示すように、光コネクタ５２の外径ｄ２よりも小さく（ｄ１＜ｄ２）設定されている。なお、ライトガイドコネクタ５１の外径ｄ１は、光コネクタ５２の外径ｄ２以下（ｄ１≦ｄ２）であればよい。【００３６】
また、ライトガイドコネクタ５１は、図５に示すように、嵌合部４７の正面部４９から延出する長さＬ１が正面部４９から延出する光コネクタ５２の長さＬ２よりも長く（Ｌ１＞Ｌ２）設定されている。【００３７】
なお、ライトガイドコネクタ５１は、金属性筒体内に内視鏡２に配設される照明光伝送用のライトガイドの端部が収容されており、金属性筒体の端部にレンズなどの照明光学系が配設されている。この照明光学系は、ライトガイドコネクタ５１の端面を構成している。【００３８】
また、光コネクタ５２は、金属性筒体内に内視鏡２の挿入部１２の先端部２１に内蔵される撮像部に接続された光伝送用ファイバの端部が収容されている。なお、光コネクタ５２は、光伝送用ファイバのコアが端面を構成するように金属性筒体内に設けられている。この光コネクタ５２の外周上部に突起部５２ａが設けられている。【００３９】
次に、画像処理装置３のレセプタクル部３１について、以下に詳しく説明する。  
図６および図７に示す、画像処理装置３のレセプタクル部３１は、内視鏡コネクタ２０のプラグ部４１が挿入されて電気的接続および光伝送接続が行われるようになっている。【００４０】
このレセプタクル部３１は、その内形状が内視鏡コネクタ２０のプラグ部４１の外形状と、略一致する嵌合凹部６１が形成されている。【００４１】
詳述すると、レセプタクル部３１は、嵌合凹部６１の所定位置に図示しない金属製の装着部が配設されている。この装着部に、内視鏡コネクタ２０のプラグ部４１のフランジ部４４が嵌合固定される。【００４２】
そして、プラグ部４１のフランジ部４４およびレセプタクル部３１の装着部は、互いが金属性であるため、嵌合して接触することで、内視鏡２および画像処理装置３のグランド同士を接続する。なお、レセプタクル部３１の装着部は、グランドと接続するための金属部を有していれば良く、非金属部材によって嵌合固定しても良い。【００４３】
レセプタクル部３１の嵌合凹部６１は、プラグ部４１の嵌合部４７の外形状に略一致する形状を有している。即ち、嵌合凹部６１は、プラグ部４１の嵌合部４７の正面部４９と形状およびサイズが略同一の正面部６２、嵌合部４７の平面部４７ａと形状およびサイズが略同一の平面部６３と、嵌合部４７の円周部４７ｂの形状およびサイズと略同一の内周面部６４と、を有している。【００４４】
内視鏡コネクタ２０は、嵌合部４７の正面部４９をレセプタクル部３１の正面部６２に対向するように嵌合凹部６１内に嵌合部４７が挿入される。【００４５】
このとき、内視鏡コネクタ２０は、嵌合部４７の平面部４７ａおよび円周部４７ｂがそれぞれレセプタクル部３１の平面部６３および内周面部６４と対向するように長手軸周りの方向が合わせられることで、嵌合部４７がレセプタクル部３１の嵌合凹部６１に嵌合するようになっている。【００４６】
なお、レセプタクル部３１の平面部６３には、内視鏡コネクタ２０の平面部４７ａに設けた複数のコネクタ接点４５にそれぞれ対応する位置に複数の電気接点であるレセプタクル接点６５が設けられている。【００４７】
さらに、レセプタクル部３１の内周面部６４には、内視鏡コネクタ２０の円周部４７ｂに設けた複数のコネクタ接点４６にそれぞれ対応する位置に複数の電気接点であるレセプタクル接点６６が設けられている。【００４８】
このように内視鏡コネクタ２０がレセプタクル部３１に嵌合して接続された状態において、各コネクタ接点４５，４６と各レセプタクル接点６５，６６同士がそれぞれ接触して電気的な接続が行われる。こうして、内視鏡２と画像処理装置３は、各種電気的信号の授受を行なうことができるようになる。【００４９】
なお、レセプタクル部３１の嵌合凹部６１は、内周面部６４の下端から上方に突起する凸部６７が設けられている。この凸部６７は、内視鏡コネクタ２０がレセプタクル部３１に嵌合して接続されるときに、内視鏡コネクタ２０の嵌合部４７の円周部４７ｂの縁辺下端部に形成された溝部５０に係合する。【００５０】
これにより、内視鏡コネクタ２０は、画像処理装置３のレセプタクル部３１に接続するときの軸回りの方向が規定され、画像処理装置３に内視鏡２の接続を認識させるようになっている。【００５１】
ところで、内視鏡コネクタ２０がレセプタクル部３１に接続された状態において、内視鏡コネクタ２０の正面部４９から突出するライトガイドコネクタ５１および光コネクタ５２は、レセプタクル部３１の正面部６２に設けられた２つの開口部７１，７２内に挿入されるようになっている。【００５２】
なお、ライトガイドコネクタ５１が第１の挿入口の１つを構成する開口部７１から挿入され、光コネクタ５２が第２の挿入口の１つを構成する開口部７２から挿入されることで、内視鏡コネクタ２０がレセプタクル部３１に接続される。【００５３】
ここで、雄型光コネクタであるライトガイドコネクタ５１および光コネクタ５２が挿入して接続される画像処理装置３のレセプタクル部３１に設けられた雌型光コネクタ（ソケット）の構成について、以下に詳しく説明する。
図６および図７に示すように、レセプタクル部３１の正面部６２に設けられた２つの開口部７１，７２は、それぞれが連通して跨るように所定の幅を有するスリット７３が形成されている。【００５４】
このスリット７３内には、ライトガイドコネクタ５１および光コネクタ５２が対応する開口部７１，７２に間違いなく挿入されるようにするための誤挿入防止キーとなる誤挿入防止部材としての板状ストッパ部材７４が回動自在に配設されている。【００５５】
この板状ストッパ部材７４は、開口部７１，７２に跨るように配設され、ライトガイドコネクタ５１および光コネクタ５２が挿入されていない状態において、少なくとも一部が開口部７２の領域に位置するように配設されている。【００５６】
図８に示すように、画像処理装置３内部には、レセプタクル部３１の正面部６２に設けられた２つの開口部７１，７２に連通する第１の挿入口の１つを構成するライトガイドコネクタ受管７６および第２の挿入口の１つを構成する光コネクタ受管７７が設けられている。これらライトガイドコネクタ受管７６および光コネクタ受管７７は、雌型光コネクタの構成要素である。【００５７】
また、ライトガイドコネクタ受管７６と開口部７１，７２が形成された正面部６２との間には、板状ストッパ部材７４に当接して回動を停止させる当接部材である当接管７８が設けられている。【００５８】
当接管７８は、上下に所定の幅を有するスリット７８ａ，７８ｂが形成され、これらスリット７８ａ，７８ｂ内で板状ストッパ部材７４が図中矢印ＡＢ方向に回動自在となうように配設されている。【００５９】
この当接管７８は、下方側のスリット７８ａを形成する長手方向に直交した一端面が板状ストッパ部材７４の平面部７４ａの下端に当接して板状ストッパ部材７４を図中矢印Ｂ方向へのここでは左回り方向への回動を停止する当接面７８ｃを有している。【００６０】
また、当接管７８は、上方側のスリット７８ｂを形成する肉厚部に板状ストッパ部材７４を回動自在に軸支する回動軸７９が設けられている。【００６１】
ライトガイドコネクタ受管７６は、下方側の開口部７１に当接管７８を介して連通する位置に配設されている。このライトガイドコネクタ受管７６は、その内径Ｄ１がライトガイドコネクタ５１の外径ｄ１と略同一（Ｄ１≒ｄ１）または若干のクリアランスを有するように設定されており、ライトガイドコネクタ５１が挿抜自在な構成となっている。【００６２】
なお、ライトガイドコネクタ受管７６には、ライトガイドコネクタ５１と接続されて照明光源から発光された照明光を出射する図示しないコネクタ部が設けられている。【００６３】
光コネクタ受管７７は、上方側の開口部７２に連通する位置に配設されている。この光コネクタ受管７７は、その内径Ｄ２が光コネクタ５２の外径ｄ２と略同一（Ｄ２≒ｄ２）または若干のクリアランスを有するように設定されており、光コネクタ５２が挿抜自在な構成となっている。【００６４】
また、光コネクタ受管７７は、上下に所定の幅を有するスリット７７ａ，７７ｂが形成されている。光コネクタ受管７７の下方側のスリット７７ａには、板状ストッパ部材７４が配設されている。【００６５】
なお、光コネクタ受管７７の上方側のスリット７７ｂは、光コネクタ５２に設けられた突起部５２ａが係入されて、光コネクタ５２の挿抜を直進ガイドするためのものである。【００６６】
この光コネクタ受管７７には、光コネクタ５２と接続されて例えば映像信号等の伝送に適した高速伝送用のレーザ光を授受する図示しないコネクタ部が設けられている。【００６７】
板状ストッパ部材７４は、各スリット７３，７７ａ，７８ｂの所定の幅よりも小さな板厚を有し、図９に示すように、下底側が長辺となる側面台形の板体である。そのため、板状ストッパ部材７４は、重力を受けて下底側が自重により自然に鉛直下方側に位置するようになっている。【００６８】
即ち、板状ストッパ部材７４は、内視鏡コネクタ２０がレセプタクル部３１に接続されていない状態である各コネクタ受管７６，７７に各コネクタ５１，５２が挿入されていない状態において、長手方向が鉛直方向に沿って立設する。【００６９】
なお、板状ストッパ部材７４は、側面台形の板体に限定されることなく、自重によって鉛直方向に沿って立設する形状であれば、如何なる形状であってもよい。【００７０】
以上のように構成された内視鏡装置１において、内視鏡２の内視鏡コネクタ２０が画像処理装置３のレセプタクル部３１に接続されるときの動作について、以下に説明する。なお、以下では、動作説明に必要な構成要素のみを図示して行う。【００７１】
内視鏡２の内視鏡コネクタ２０が画像処理装置３のレセプタクル部３１に接続されるとき、図１０に示すように、ライトガイドコネクタ５１が光コネクタ５２よりも嵌合部４７の正面部４９からの延出長が長いため、先ず、レセプタクル部３１の正面部６２に設けられた開口部７１を介してライトガイドコネクタ受管７６内にライトガイドコネクタ５１が挿入される。【００７２】
このとき、ライトガイドコネクタ５１の端面が自重により立設している板状ストッパ部材７４の平面部７４ａの下端側（開口部７１側で露出している部分）に当接する。【００７３】
すると、ライトガイドコネクタ５１がライトガイドコネクタ受管７６の深部方向への挿入に連動して、図１１に示すように、板状ストッパ部材７４が回動軸７９回りに各スリット７３，７７ａ，７８ｂ内で回動（ここでは図中矢印Ａ方向の右回り方向に回転）する。【００７４】
さらに、ライトガイドコネクタ５１がライトガイドコネクタ受管７６の深部へ挿入されることで、板状ストッパ部材７４が回動軸７９回りに回動して、各スリット７３，７７ａ，７８ｂ内に収容（退避位置に移動）される。【００７５】
この状態では、光コネクタ５２がレセプタクル部３１の正面部６２に設けられた開口部７２を介して光コネクタ受管７７内に挿入されない。即ち、板状ストッパ部材７４が各スリット７３，７７ａ，７８ｂ内に収容（退避位置に移動）されるまで、光コネクタ５２が光コネクタ受管７７内に挿入されない構成となっている。【００７６】
この構成を実現するために、板状ストッパ部材７４の下底の長さ寸法がスリット７３の高さ寸法および２つのスリット７７ａ，７８ｂの合計の高さ寸法よりも小さく設定されていると共に、ライトガイドコネクタ５１が嵌合部４７の正面部４９から延出する長さＬ１に対して、光コネクタ５２が嵌合部４７の正面部４９から延出する長さＬ２の関係が設定されている。【００７７】
そして、さらに、板状ストッパ部材７４が各スリット７３，７７ａ，７８ｂ内に収容された状態のまま、ライトガイドコネクタ５１がライトガイドコネクタ受管７６の深部へ挿入され、光コネクタ５２がレセプタクル部３１の正面部６２に設けられた開口部７２を介して光コネクタ受管７７内に挿入される。【００７８】
このとき、内視鏡コネクタ２０は、光コネクタ５２の突起部５２ａが光コネクタ受管７７の上方側のスリット７７ｂに係入されると共に、レセプタクル部３１の凸部６７が嵌合部４７の溝部５０に係入されることで、レセプタクル部３１へ接続する際に直進ガイドされる。【００７９】
そして、内視鏡コネクタ２０は、図１２に示すように、嵌合部４７の正面部４９がレセプタクル部３１の正面部６２に対向して当接するまで押し込まれることで、ライトガイドコネクタ５１がライトガイドコネクタ受管７６内のコネクタ部と接続され、光コネクタ５２が光コネクタ受管７７内のコネクタ部と接続される。【００８０】
こうして、内視鏡２の内視鏡コネクタ２０は、画像処理装置３のレセプタクル部３１に嵌合して接続される。なお、この状態において、レセプタクル部３１の装着部にフランジ部４４が嵌合固定され、嵌合部４７の各コネクタ接点４５，４６とレセプタクル部３１の各レセプタクル接点６５，６６同士がそれぞれ接触して電気的に接続される。【００８１】
なお、ユーザが内視鏡コネクタ２０の上下方向に向きを誤って、ライトガイドコネクタ５１を光コネクタ５２が本来挿入される光コネクタ受管７７内にレセプタクル部３１の正面部６２に設けられた開口部７２を介して挿入しようとすると、図１３に示すように、ライトガイドコネクタ５１の端面が板状ストッパ部材７４の平面部７４ａに当接した状態から挿入できないように維持される。【００８２】
即ち、ライトガイドコネクタ５１の端面が光コネクタ受管７７側の板状ストッパ部材７４の平面部７４ａ（開口部７２側で露出している部分）に当接すると、板状ストッパ部材７４が回動軸７９左回り（図中矢印Ｂ方向）に回転しようとする。【００８３】
このとき、板状ストッパ部材７４の平面部７４ａの下端が当接管７８の当接面７８ｃに突き当たり、板状ストッパ部材７４の回転が規制され、板状ストッパ部材７４が鉛直方向に沿って立設した状態から動かなくなり、開口部７２の領域内に板状ストッパ部材７４の少なくとも一部が配設された状態が維持される。【００８４】
これにより、ライトガイドコネクタ５１が板状ストッパ部材７４に引っ掛かってそれ以上の挿入ができなくなり、光コネクタ受管７７の深部方向への挿入を防止することができる。【００８５】
以上の説明により、本実施の形態の内視鏡装置１は、ライトガイドコネクタ５１に加え、内視鏡画質の向上に伴い更なる高速伝送化のために、高速伝送用の光伝送プラグである光コネクタ５２が設けられた内視鏡２の内視鏡コネクタ２０を画像処理装置３のレセプタクル部３１に接続する１回の動作で、内視鏡コネクタ２０の２つの雄型光コネクタ（プラグ）を画像処理装置３の２つの雌型光コネクタ（ソケット）へ容易に、且つ同時に接続が行える構成となっている。【００８６】
さらに、内視鏡装置１では、内視鏡２の内視鏡コネクタ２０を画像処理装置３のレセプタクル部３１に誤った方向で接続しようとしても、雄型光コネクタ（プラグ）が誤った雌型光コネクタ（ソケット）に挿入できないように構成されているため、誤接続を防止すると共に、その誤接続によって生じる雄型光コネクタ（プラグ）および雌型光コネクタ（ソケット）の破損も防止することができる。【００８７】
以上から、本実施の形態の内視鏡装置１は、内視鏡２の光伝送プラグとライトガイドプラグを備えた内視鏡コネクタ２０を画像処理装置３のレセプタクル部３１へ接続するときの誤接続を防止して、機器の損傷を防止することができる。【００８８】
なお、画像処理装置３は、レセプタクル部３１が本実施の形態のような光コネクタ５２を有しないライトガイドコネクタ５１と各コネクタ接点４５，４６を備えた従来の内視鏡コネクタとの接続互換性を持たせることで、ユーザが所有する従来の内視鏡も使用することができる構成とすることが好ましい。【００８９】
即ち、内視鏡装置１は、画像処理装置３のレセプタクル部３１に設けられた各レセプタクル接点６５，６６と、ユーザが所有する従来の内視鏡（２）の内視鏡コネクタ（２０）に設けられた各コネクタ接点４５，４６と、の電気的な接続によって撮像信号を含む各種電気的信号の授受を行なうことができるように構成することが好ましい。【００９０】
このように、本実施の形態の内視鏡２の内視鏡コネクタ２０と、従来の内視鏡の内視鏡コネクタを画像処理装置３のレセプタクル部３１に接続可能な構成とすることで、ユーザが機種によって非対応な画像処理装置（３）を幾つも所有する必要がなく、病院などユーザへのコスト低減に寄与することができる。【００９１】
なお、画像処理装置３は、従来の内視鏡（２）の内視鏡コネクタ（２０）に設けられたライトガイドコネクタ５１を光コネクタ５２が本来挿入される光コネクタ受管７７内にレセプタクル部３１の正面部６２に設けられた開口部７２を介して挿入しようとしても、上述と同様に、ライトガイドコネクタ５１の端面が板状ストッパ部材７４の平面部７４ａに当接した状態から挿入できないため、誤接続を防止すると共に、その誤接続によって生じる雄型光コネクタ（プラグ）および雌型光コネクタ（ソケット）の破損も防止することができる。【００９２】
以上の各実施の形態に記載した発明は、それら実施の形態および変形例に限ることなく、その他、実施段階ではその要旨を逸脱しない範囲で種々の変形を実施し得ることが可能である。さらに、上記各実施の形態には、種々の段階の発明が含まれており、開示される複数の構成要件における適宜な組合せにより種々の発明が抽出され得るものである。【００９３】
例えば、各実施の形態に示される全構成要件から幾つかの構成要件が削除されても、述べられている課題が解決でき、述べられている効果が得られる場合には、この構成要件が削除された構成が発明として抽出され得るものである。【００９４】
本発明によれば、電子内視鏡の光伝送プラグとライトガイドプラグを備えた内視鏡コネクタを画像処理装置のレセプタクル部へ接続するときの誤接続を防止して、機器の損傷を防止した内視鏡装置を提供することができる。【００９５】
本出願は、２０１５年１１月１９日に日本国に出願された特願２０１５−２２７００４号を優先権主張の基礎として出願するものであり、上記の開示内容は、本願明細書、請求の範囲に引用されるものとする。
【図１】
2017086483.tif 000003
【図２】
2017086483.tif 000004
【図３】
2017086483.tif 000005
【図４】
2017086483.tif 000006
【図５】
2017086483.tif 000007
【図６】
2017086483.tif 000008
【図７】
2017086483.tif 000009
【図８】
2017086483.tif 000010
【図９】
2017086483.tif 000011
【図１０】
2017086483.tif 000012
【図１１】
2017086483.tif 000013
【図１２】
2017086483.tif 000014
【図１３】
2017086483.tif 000015
【図１４】
2017086483.tif 000016
【手続補正書】
【提出日】平成29年3月15日(2017.3.15)
【手続補正２】
【補正対象書類名】明細書
【補正対象項目名】０００１
【補正方法】変更
【補正の内容】
【０００１】
本発明は、本発明は、高速伝送に好適な内視鏡用コネクタを接続するレセプタクル部を備えた内視鏡装置および光源装置に関する。
【手続補正３】
【補正対象書類名】明細書
【補正対象項目名】０００９
【補正方法】変更
【補正の内容】
【０００９】
そこで、本発明は、上記事情に鑑みなされたものあり、電子内視鏡の光伝送プラグとライトガイドプラグを備えた内視鏡コネクタを画像処理装置のレセプタクル部へ接続するときの誤接続を防止して、機器の損傷を防止した内視鏡装置および光源装置を提供することを目的とする。
【手続補正４】
【補正対象書類名】明細書
【補正対象項目名】００１０
【補正方法】変更
【補正の内容】
【００１０】
本発明の一態様における内視鏡装置は、プラグ部を備えた内視鏡コネクタと、前記プラグ部から延設された雄型の第１の光コネクタと、前記プラグ部が嵌合するレセプタクル部と、前記レセプタクル部に設けられ、前記第１の光コネクタが挿入される第１の挿入口と、前記レセプタクル部に設けられ、前記第１の光コネクタとは別の雄型の第２の光コネクタが挿入される第２の挿入口と、前記第１の挿入口に前記第１の光コネクタが挿入されていない状態において、前記第２の挿入口に少なくとも一部が配設され、前記第１の挿入口への前記第１の光コネクタの挿入時に連動して、前記第２の光コネクタが前記第２の挿入口に挿入可能となる退避位置に移動する誤挿入防止部材と、前記第２の挿入口への前記第１の光コネクタの挿入時に、前記誤挿入防止部材に当接して前記第２の挿入口に前記少なくとも一部が配設された状態を維持させる当接部材と、を具備する。
本発明の一態様における光源装置は、第１の光コネクタと前記第１のコネクタとは異なる第２の光コネクタが延設された内視鏡コネクタが嵌合されるレセプタクル部と、前記レセプタクル部に設けられ、前記第１の光コネクタが挿入される第１の挿入口と、前記レセプタクル部に設けられ、前記第２の光コネクタが挿入される第２の挿入口と、前記第１の挿入口に前記第１の光コネクタが挿入されていない状態において、前記第２の挿入口に少なくとも一部が配設され、前記第１の挿入口への前記第１の光コネクタの挿入に連動して、前記第２の光コネクタが前記第２の挿入口に挿入可能となる退避位置に移動する移動部材と、前記第２の挿入口への前記第１の光コネクタの挿入時に、前記移動部材に当接して前記第２の挿入口に前記少なくとも一部が配設された状態を維持させる当接部材と、を具備する。
【手続補正５】
【補正対象書類名】特許請求の範囲
【補正対象項目名】全文
【補正方法】変更
【補正の内容】
【特許請求の範囲】
【請求項１】
プラグ部を備えた内視鏡コネクタと、
前記プラグ部から延設された雄型の第１の光コネクタと、
前記プラグ部が嵌合するレセプタクル部と、
前記レセプタクル部に設けられ、前記第１の光コネクタが挿入される第１の挿入口と、
前記レセプタクル部に設けられ、前記第１の光コネクタとは別の雄型の第２の光コネクタが挿入される第２の挿入口と、
前記第１の挿入口に前記第１の光コネクタが挿入されていない状態において、前記第２の挿入口に少なくとも一部が配設され、前記第１の挿入口への前記第１の光コネクタの挿入に連動して、前記第２の光コネクタが前記第２の挿入口に挿入可能となる退避位置に移動する誤挿入防止部材と、
前記第２の挿入口への前記第１の光コネクタの挿入時に、前記誤挿入防止部材に当接して前記第２の挿入口に前記少なくとも一部が配設された状態を維持させる当接部材と、
を具備することを特徴とする内視鏡装置。
【請求項２】
前記第１の光コネクタが照明光用のライトガイドコネクタであって、
前記第１の挿入口に前記ライトガイドコネクタが挿入されて被検体を照明する照明光が前記ライトガイドコネクタに入射されることを特徴とする請求項１に記載の内視鏡装置。
【請求項３】
前記第２の光コネクタが前記プラグ部から延設された光伝送コネクタであって、
前記第２の挿入口に前記光伝送コネクタが挿入されて高速伝送用のレーザ光が前記光伝送コネクタを介して授受されることを特徴とする請求項１に記載の内視鏡装置。
【請求項４】
前記第１の光コネクタは、前記第２の光コネクタよりも前記プラグ部から延設する長さが長いことを特徴とする請求項１に記載の内視鏡装置。
【請求項５】
前記第１の光コネクタの外径が前記第２の挿入口の内径以下であることを特徴とする請求項１に記載の内視鏡装置。
【請求項６】
前記誤挿入防止部材が前記第１の挿入口および前記第２の挿入口に跨るように回動自在に配設され、前記第１の挿入口に挿入された前記第１の光コネクタに当接して回動することで前記退避位置に移動することを特徴とする請求項１に記載の内視鏡装置。
【請求項７】
前記第１の光コネクタおよび/または前記第２の光コネクタが前記第１の挿入口および/または前記第２の挿入口に挿入されていない状態において、前記誤挿入防止部材が自重により前記第２の挿入口に前記少なくとも一部が配設される位置に回動することを特徴とする請求項６に記載の内視鏡装置。
【請求項８】
第１の光コネクタと前記第１の光コネクタとは異なる第２の光コネクタが延設された内視鏡コネクタが嵌合されるレセプタクル部と、
前記レセプタクル部に設けられ、前記第１の光コネクタが挿入される第１の挿入口と、
前記レセプタクル部に設けられ、前記第２の光コネクタが挿入される第２の挿入口と、
前記第１の挿入口に前記第１の光コネクタが挿入されていない状態において、前記第２の挿入口に少なくとも一部が配設され、前記第１の挿入口への前記第１の光コネクタの挿入に連動して、前記第２の光コネクタが前記第２の挿入口に挿入可能となる退避位置に移動する移動部材と、
前記第２の挿入口への前記第１の光コネクタの挿入時に、前記移動部材に当接して前記第２の挿入口に前記少なくとも一部が配設された状態を維持させる当接部材と、
を具備することを特徴とする光源装置。
【請求項９】
前記第１の光コネクタが照明光用のライトガイドコネクタであって、
前記第１の挿入口に前記ライトガイドコネクタが挿入されて被検体を照明する照明光が前記ライトガイドコネクタに入射されることを特徴とする請求項８に記載の光源装置。
【請求項１０】
前記第２の光コネクタが前記内視鏡コネクタから延設された光伝送コネクタであって、
前記第２の挿入口に前記光伝送コネクタが挿入されて高速伝送用のレーザ光が前記光伝送コネクタを介して授受されることを特徴とする請求項８に記載の光源装置。
【請求項１１】
前記第１の光コネクタは、前記第２の光コネクタよりも前記内視鏡コネクタから延設する長さが長いことを特徴とする請求項８に記載の光源装置。
【請求項１２】
前記第１の光コネクタの外径が前記第２の挿入口の内径以下であることを特徴とする請求項８に記載の光源装置。
【請求項１３】
前記移動部材が前記第１の挿入口および前記第２の挿入口に跨るように回動自在に配設され、前記第１の挿入口に挿入された前記第１の光コネクタに当接して回動することで前記退避位置に移動することを特徴とする請求項８に記載の光源装置。
【請求項１４】
前記第１の光コネクタおよび/または前記第２の光コネクタが前記第１の挿入口および/または前記第２の挿入口に挿入されていない状態において、前記移動部材が自重により前記第２の挿入口に前記少なくとも一部が配設される位置に回動することを特徴とする請求項１３に記載の光源装置。
【国際調査報告】
2017086483.tif 000017
2017086483.tif 000018
2017086483.tif 000019
2017086483.tif 000020